(57)【要約】【課題】容易にアドレスを設定でき、且つ部品の品番管理を簡素化する。【解決手段】電子回路１としてアドレス毎に異なる部品を搭載することなく、その電子回路１が実装される側に突起部品１５を形成し、この突起部品１５で電子回路１内の自律復帰型の接点３ａ〜３ｄの開閉状態を設定し、その開閉状態をアドレス認識回路５で認識する。電子回路１側で予めアドレスを設定する必要がないことから、電子回路１としての部品の品番管理が楽になる。また、アドレス設定のための作業工数が少なくて済む利点がある。さらに、多重通信制御装置の搭載位置側にアドレスを設定できるので便利である。【選択図】図１
2006041785.tif 000002
【特許請求の範囲】
【請求項１】
外部配線に接続されると共に、内部に電子回路が実装された多重通信制御装置であって、
機械的に開閉するとともに、電子回路が実装される部位に形成された突起部品により押圧されて閉状態または開状態となる複数の接点と、
前記接点の開閉の組合せを認識し、その組合せをアドレスに変換するアドレス認識回路と
を備える多重通信制御装置。
【請求項２】
請求項１に記載の多重通信制御装置であって、
前記接点が自律復帰型であることを特徴とする多重通信制御装置。
【請求項３】
請求項１または請求項２に記載の多重通信制御装置であって、
前記突起部品が、前記電子回路が実装される所定の取付板に形成されることを特徴とする多重通信制御装置。
【請求項４】
請求項１または請求項２に記載の多重通信制御装置であって、
前記突起部品が、前記外部配線を位置決めするためのガイド部品に形成されることを特徴とする多重通信制御装置。
【請求項５】
請求項１から請求項４のいずれかに記載の多重通信制御装置であって、
前記外部配線に接続される所定の電装ユニットに内蔵されることを特徴とする多重通信制御装置。
【請求項６】
請求項１から請求項４のいずれかに記載の多重通信制御装置であって、
所定の電装ユニットを前記外部配線に接続するためのコネクタに内蔵されることを特徴とする多重通信制御装置。
【発明の詳細な説明】
【技術分野】
【０００１】
本発明は、外部配線に接続されると共に、内部に電子回路が実装された多重通信制御装置に関するものである。
【背景技術】
【０００２】
一般に、コネクタやアクチュエータに電子回路を内蔵し、その電子回路内の多重通信回路で多重通信が行われている。この場合、コネクタが接続されるアクチュエータや、回路が搭載されているアクチュエータについて、制御信号を送信して制御を行う。このようなアクチュエータ内蔵電子回路やコネクタ内蔵電子回路では、トポロジとしてパラレル接続がなされているものが多い。
【０００３】
このようにパラレル接続された多重通信ノードにおいては、それぞれのノードを識別するためのアドレスを各ノードに割り振る必要がある。
【０００４】
この場合、それぞれのノードにアドレスを設定するために、従来では、搭載している電子部品をアドレス毎に異なるものにしていた。例えば、それぞれ異なるユニークなアドレスをメモリやマイコン内に予め記憶させておくことで、個々のメモリやマイコンを識別できる。
【発明の開示】
【発明が解決しようとする課題】
【０００５】
異なるユニークなアドレスをメモリやマイコン内に予め記憶させておく場合は、アドレスが異なる毎に部品の種類が異なることになるため、多重通信回路を搭載しているアクチュエータやコネクタの品番が増加してしまい、部品の種類が増大して管理が煩雑となって、管理コストの増大を招いてしまう。
【０００６】
そこで、本発明の課題は、容易にアドレスを設定でき、且つ部品の品番管理を簡素化し得る多重通信制御装置を提供することにある。
【課題を解決するための手段】
【０００７】
上記課題を解決すべく、請求項１に記載の発明は、外部配線に接続されると共に、内部に電子回路が実装された多重通信制御装置であって、機械的に開閉するとともに、電子回路が実装される部位に形成された突起部品により押圧されて閉状態または開状態となる複数の接点と、前記接点の開閉の組合せを認識し、その組合せをアドレスに変換するアドレス認識回路とを備えるものである。
【０００８】
請求項２に記載の発明は、請求項１に記載の多重通信制御装置であって、前記接点が自律復帰型である。
【０００９】
請求項３に記載の発明は、請求項１または請求項２に記載の多重通信制御装置であって、前記突起部品が、前記電子回路が実装される所定の取付板に形成されるものである。
【００１０】
請求項４に記載の発明は、請求項１または請求項２に記載の多重通信制御装置であって、前記突起部品が、前記外部配線を位置決めするためのガイド部品に形成されるものである。
【００１１】
請求項５に記載の発明は、請求項１から請求項４のいずれかに記載の多重通信制御装置であって、前記外部配線に接続される所定の電装ユニットに内蔵されるものである。
【００１２】
請求項６に記載の発明は、請求項１から請求項４のいずれかに記載の多重通信制御装置であって、所定の電装ユニットを前記外部配線に接続するためのコネクタに内蔵されるものである。
【発明の効果】
【００１３】
請求項１〜請求項６に記載の発明の多重通信制御装置は、電装ユニット（請求項５）やコネクタ（請求項６）等に内蔵されて、各電子回路の接点が、所定の取付板（請求項３）やガイド部品（請求項４）に形成される突起部品により押圧されて閉状態または開状態となり、この各接点の開閉の組合せをアドレス認識回路で認識してアドレスに変換するので、各電子回路としてアドレス毎に異なる部品を搭載することなくアドレスを設定できる。したがって、電装ユニット（請求項５）やコネクタ（請求項６）等の電子回路としての部品の品番管理が楽になる。この場合、請求項２のように、接点が自律復帰型であると便利である。
【００１４】
また、電子回路が実装される側に突起部品を形成する場合、例えば樹脂製のパッケージ部品やガイド部品に突起部品を形成するだけでいいので、パッケージ部品やガイド部品の金型で突起部品を形成することができ、突起部品を形成するための特別の工程を要しないため容易に突起部品を形成できる。したがって、例えばジャンパーピンを設定するなどしてアドレスを設定する場合に比べて、アドレス設定のための作業工数が少なくて済む利点がある。
【発明を実施するための最良の形態】
【００１５】
図１は本発明の一の実施形態に係る多重通信制御装置の概要を示す回路図、図２及び図３はその一部を示す模式図である。
【００１６】
この多重通信制御装置は、例えば自動車内に実装され、例えば、ＨＶＡＣに取り付けられるサーボモータを制御する制御ユニットや、その他の部位に取り付けられるセンサユニット、あるいは、通信におけるノードとしてアドレスが付与される通信機能付きコネクタ装置等の所定の装置ユニットに適用されるもので、図１〜図３の如く、外部配線に接続される内蔵の電子回路１内に、機械的に開閉する複数の接点３ａ〜３ｄとアドレス認識回路５とを備え、接点３ａ〜３ｄが外力により開閉するよう構成され、この接点３ａ〜３ｄの開閉の組合せをアドレス認識回路５で認識して、その組合せをアドレスに変換するようになっている。
【００１７】
各接点３ａ〜３ｄは、自律復帰型の押し式スイッチであり、図１の如く、各接点３ａ〜３ｄの一端が接地されるとともに、他端がプルアップ抵抗７ａ〜７ｄにそれぞれ接続され、各接点３ａ〜３ｄの開閉により当該各接点３ａ〜３ｄの他端の電位が変化するようになっている。
【００１８】
具体的に、各接点３ａ〜３ｄは、例えば図２及び図３の如く、板ばね式の金属片が使用され、当該金属片の先端部が略楔形に折曲されて、凸部１０が形成され、この凸部１０が接地側の第１の接続部位１１に接続可能となっている。
【００１９】
また各接点３ａ〜３ｄの基部側は、プルアップ抵抗７ａ〜７ｄに接続された第２の接続部位１３に接続されており、自然状態で図２のように開状態となる一方、各接点３ａ〜３ｄの先端部付近に図３のように外部の突起部品１５が当接したときに、当該突起部品１５の押圧力により各接点３ａ〜３ｄの基端部が弾性変形して、凸部１０が第１の接続部位１１に当接して閉状態になるように構成されている。
【００２０】
ここで、各接点３ａ〜３ｄの先端部付近に当接する突起部品１５は、この電子回路１が取り付けられる相手側の表面に設置されており、例えば、アクチュエータやコネクタを取り付けるためのケースの表面やハーネスを保護するための保護ガイド等に一体的に形成されている。即ち、全ての接点３ａ〜３ｄが自然状態で開状態になるため、本来的には電子回路１に予めアドレスの設定が行われているわけではないが、電子回路１が取り付けられる位置に予め突起部品１５が形成されることにより、その取付位置に対応するアドレスを各接点３ａ〜３ｄの開閉の組合せにより設定することになる。
【００２１】
アドレス認識回路５は、例えば通信機能を有するＩＣが適用される。また、アクチュエータの制御や通信プロトコルの制御等、多重通信制御装置として必要な様々な機能が併せて搭載されている。
【００２２】
このように、この多重通信制御装置では、各電子回路１の内部にアドレスを予め設定する場合に比べて、接点３ａ〜３ｄや突起部品１５等の部品の増加を伴うが、電子回路１としてアドレス毎に異なる部品を搭載することなく、その電子回路１が実装される側に突起部品１５を形成することでアドレスの設定を行うので、電子回路１としての部品の品番管理が楽になる。
【００２３】
また、多重通信制御装置の搭載位置側にアドレスを設定できるので便利である。
【００２４】
さらに、電子回路１が実装される側に突起部品１５を形成する場合、例えば樹脂製のパッケージ部品やガイド部品に突起部品１５を形成するだけでいいので、パッケージ部品やガイド部品の金型で突起部品１５を形成することができ、突起部品１５を形成するための特別の工程を要しないため容易に突起部品１５を形成できる。したがって、例えばジャンパーピンを設定するなどしてアドレスを設定する場合に比べて、アドレス設定のための作業工数が少なくて済む利点がある。
【００２５】
＜実施例１＞
図４は、アクチュエータユニット２１ａ〜２１ｃの内部に多重通信制御装置が搭載された場合の実施例を示す模式図である。この実施例では、内部に多重通信制御装置が設置されたアクチュエータユニット２１ａ〜２１ｃが、取付板２３の上面に取り付けられる。この場合、アクチュエータユニット２１ａ〜２１ｃと取付板２３との固定は、接着材や溶接を行っても良いし、あるいは、図示しないネジ等の固定部品を用いて固定してもよい。
【００２６】
各アクチュエータユニット２１ａ〜２１ｃは、図５のように、下面開放または開放孔が形成されたケース２５内に、電子回路１が形成された回路基板２７が収納されてなり、この回路基板２７の下面に、上記した接点３ａ〜３ｄが形成されている。板ばね状の接点３ａ〜３ｄ及び電子回路１の回路構成は、図１に示した通りである。尚、図５においてＩＣであるアドレス認識回路５が図示省略されている。そして、各アクチュエータユニット２１ａ〜２１ｃは、複数の電線が束ねられてなるワイヤーハーネス（外部配線）２２を通じて、自動車内ネットワーク（車内ＬＡＮ）や電源に接続される。
【００２７】
また、取付板２３の上面には、接点３ａ〜３ｄを押圧して閉状態にするための突起部品１５が形成されている。尚、図５においては、四個の接点３ａ〜３ｄの全てを閉状態にするため、四個の突起部品１５が取付板２３に形成された例を示しているが、図４のように、アドレスの設定に応じて、四個の突起部品１５のうちのいくつかが省略されたりして、その突起部品１５の形成位置及び形成個数等によりアクチュエータユニット２１ａ〜２１ｃ個々のアドレスがユニークに設定されるようになっている。
【００２８】
かかる実施例１では、アクチュエータユニット２１ａ〜２１ｃを取付板２３に固定するだけで、取付板２３の上面に選択的に形成された突起部品１５のみがアクチュエータユニット２１ａ〜２１ｃ内の回路基板２７の下面に形成された接点３ａ〜３ｄを押圧してこれを閉状態とする。したがって、取付板２３上の突起部品１５の有無の組合せにより、各アクチュエータユニット２１ａ〜２１ｃのアドレスを容易に設定できる。したがって、アクチュエータユニット２１ａ〜２１ｃの品番管理が楽になるとともに、アドレスを容易に設定できる。
【００２９】
＜実施例２＞
図６及び図７は、実施例２として、例えば自動車において、ある部位に設置されたアクチュエータ等の複数の電装ユニット３１ａ，３１ｂにワイヤーハーネス３３を接続するための多重通信回路内蔵コネクタ３５ａ，３５ｂを示している。
【００３０】
この実施例では、複数の電装ユニット３１ａ，３１ｂが取付板２３の下面側に固定されており、この電装ユニット３１ａ，３１ｂにコネクタ３５ａ，３５ｂを挿入して嵌合するための嵌合孔３７がそれぞれ形成されている。
【００３１】
また、各コネクタ３５ａ，３５ｂの内部には、図１に示した多重通信制御装置の電子回路１が形成され、この多重通信制御装置の電子回路１により、コネクタ３５ａ，３５ｂ同士が相互に通信を行うようになっている。望ましくは、各コネクタ３５ａ，３５ｂによって通信プロトコルの物理層及びデータリンク層等が定義される。
【００３２】
そして、各コネクタ３５ａ，３５ｂの下面側には、図２及び図３に示した板ばね状の接点３ａ〜３ｄが取り付けられている。この接点３ａ〜３ｄの構成は上述の通りであるため、その説明を省略する。
【００３３】
また、取付板２３の上面の嵌合孔３７に隣接する領域には、各コネクタ３５ａ，３５ｂ内の接点３ａ〜３ｄを押圧して閉状態にするための突起部品１５が形成されている。
【００３４】
かかる実施例２では、コネクタ３５ａ，３５ｂを取付板２３に固定するだけで、取付板２３の上面に選択的に形成された突起部品１５のみがコネクタ３５ａ，３５ｂ内の接点３ａ〜３ｄを押圧してこれを閉状態とする。したがって、取付板２３上の突起部品１５の有無の組合せにより、各コネクタ３５ａ，３５ｂ及び各電装ユニット３１ａ，３１ｂのアドレスを容易に設定でき、コネクタ３５ａ，３５ｂ及び各電装ユニット３１ａ，３１ｂの品番管理が楽になるとともに、これらのコネクタ３５ａ，３５ｂのアドレスを容易に設定できる。
【００３５】
＜実施例３＞
図８は、実施例３として、例えば自動車内に搭載されるアクチュエータや電子制御ユニット（ＥＣＵ）等の所定の電装ユニット４０ａ，４０ｂにワイヤーハーネス４２を接続するための多重通信回路内蔵コネクタ４１ａ，４１ｂを示している。
【００３６】
この実施例では、ワイヤーハーネス４２を位置決めするためのガイド部品４４に沿ってワイヤーハーネス４２が敷設される。このガイド部品４４は、樹脂等が用いられて細長状に形成され、底壁４４ａと、その両側の側壁４４ｂ，４４ｃとを有して上面開放の溝形状に形成される。そして、側壁４４ｂの一部には、このコネクタ４１ａ，４１ｂが嵌入される篏入孔４６が形成されている。
【００３７】
また、各コネクタ４１ａ，４１ｂの内部には、図１に示した多重通信制御装置の電子回路１が形成され、この多重通信制御装置の電子回路１により、コネクタ４１ａ，４１ｂ同士が相互に通信を行うようになっている。望ましくは、各コネクタ４１ａ，４１ｂによって通信プロトコルの物理層及びデータリンク層等が定義される。さらに、各コネクタ４１ａ，４１ｂの一部には、電装ユニット４０ａ，４０ｂに着脱自在に接続するための雄端子４８が取り付けられている。
【００３８】
そして、各コネクタ４１ａ，４１ｂの下面側には、図２及び図３に示した板ばね状の接点３ａ〜３ｄが取り付けられている。この接点３ａ〜３ｄの構成は上述の通りであるため、その説明を省略する。
【００３９】
また、ガイド部品４４の底壁４４ａの上面で、各コネクタ４１ａ，４１ｂが取り付けられる位置には、各コネクタ４１ａ，４１ｂ内の接点３ａ〜３ｄを押圧して閉状態にするための突起部品１５が形成されている。
【００４０】
かかる実施例３では、コネクタ４１ａ，４１ｂをガイド部品４４に固定するだけで、ガイド部品４４の底壁４４ａの上面に選択的に形成された突起部品１５のみがコネクタ４１ａ，４１ｂ内の接点３ａ〜３ｄを押圧してこれを閉状態とする。したがって、ガイド部品４４上の突起部品１５の有無の組合せにより、各コネクタ４１ａ，４１ｂのアドレスを容易に設定でき、各コネクタ４１ａ，４１ｂ及び各電装ユニット４０ａ，４０ｂの品番管理が楽になるとともに、これらのコネクタ４１ａ，４１ｂ及び各電装ユニット４０ａ，４０ｂのアドレスを容易に設定できる。
【００４１】
尚、上記各実施形態では、各接点３ａ〜３ｄを押圧したときにこれが閉状態になる例について説明したが、各接点３ａ〜３ｄを押圧したときにこれが開状態になるよう構成してもよい。
【図面の簡単な説明】
【００４２】
【図１】本発明の一の実施形態に係る多重通信制御装置の電子回路を示す回路図である。
【図２】本発明の一の実施形態に係る多重通信制御装置の一部を示す模式図である。
【図３】本発明の一の実施形態に係る多重通信制御装置の一部を示す模式図である。
【図４】本発明の実施例１に係る多重通信制御装置を示す模式図である。
【図５】本発明の実施例１に係る多重通信制御装置を示す模式図である。
【図６】本発明の実施例２に係る多重通信制御装置を示す模式図である。
【図７】本発明の実施例２に係る多重通信制御装置を示す模式図である。
【図８】本発明の実施例３に係る多重通信制御装置を示す模式図である。
【符号の説明】
【００４３】
１  電子回路
３ａ〜３ｄ  接点
５  アドレス認識回路
７ａ〜７ｄ  プルアップ抵抗
９  金属片
１０  凸部
１５  突起部品
２１ａ〜２１ｃ  アクチュエータユニット
２２  ワイヤーハーネス
２３  取付板
２５  ケース
２７  回路基板
３１ａ，３１ｂ  電装ユニット
３３  ワイヤーハーネス
３５ａ，３５ｂ  多重通信回路内蔵コネクタ
４０ａ，４０ｂ  電装ユニット
４１ａ，４１ｂ  多重通信回路内蔵コネクタ
４２  ワイヤーハーネス
４４  ガイド部品
４６  篏入孔
【図１】
2006041785.tif 000003
【図２】
2006041785.tif 000004
【図３】
2006041785.tif 000005
【図４】
2006041785.tif 000006
【図５】
2006041785.tif 000007
【図６】
2006041785.tif 000008
【図７】
2006041785.tif 000009
【図８】
2006041785.tif 000010